(57)【特許請求の範囲】
【請求項１】
底部を囲むように配設された側壁が、底部に重なるように折り畳むことが可能な折り畳みコンテナーにおいて、前記底部の相対する長辺側土手部には、箱型に組み立てられた状態から先に倒される長側壁がヒンジ連結されており、また、前記長辺側土手部より高い前記底部の相対する短辺側土手部には、箱型に組み立てられた状態から後から倒される短側壁がヒンジ連結されており、更に、前記長辺側土手部の高さを１０ｍｍ以上とし、更にまた、前記長辺側土手部の外壁部を凹ますことにより、前記長辺側土手部には、識別部材が貼着可能な平坦な奥部を有する凹部としての取着スペースが形成されているとともに、前記短辺側土手部の外壁部を凹ますことにより、前記短辺側土手部にも、識別部材が貼着可能な平坦な奥部を有する凹部としての取着スペースが形成されており、且つ、前記長辺側土手部の上面の外辺部に立設された外壁には、前記短側壁の壁面に対して直交するように配設された係合部材が挿入される切り欠き凹部が形成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が、ほぼ長方形の底部の相対する長辺部に形成された土手部に、ヒンジ部を介して、長側壁を連結し、また、底部の相対する短辺部に形成された土手部に、同じくヒンジ部を介して、短側壁を連結した折り畳みコンテナーが知られている。そして、箱型に組み立てられた折り畳みコンテナーを折り畳むには、先ず最初に、相対する長側壁を、底部に重なるように倒し、次いで、相対する短側壁を、底部に重ねられた長側壁の上に、重なるように倒すことにより、折り畳むことができるように構成されている。
【０００３】
そして、箱型に組み立てられた状態から、折り畳みコンテナーを折り畳む際に、後から倒される短側壁がヒンジ連結されている、底部の相対する短辺部に形成されている土手部は、最初に倒される長側壁がヒンジ連結されている、底部の相対する長辺部に形成されている土手部より、その高さが高く形成されている。
【０００４】
また、大きな折り畳みコンテナーの底部のほぼ半分の大きさの底部を有する小さな折り畳みコンテナーを、２個、並設し、その上に、大きな折り畳みコンテナーを載置した際に、上に位置する大きな折り畳みコンテナーの底部に形成されている、中央部に形成された溝部を挟んで配設された副嵌合部が、下に位置する小さな折り畳みコンテナーの開口部に挿入されるとともに、下に位置する並設された小さな折り畳みコンテナーの当接する側壁に形成された上部フランジが、上記の溝部に挿入されるように構成された折り畳みコンテナーが知られている。なお、公知のように、大きな折り畳みコンテナーの底部のほぼ三分の一や四分の一等より小さな底部を有する小さな折り畳みコンテナーを、２個以上、並設し、その上に、大きな折り畳みコンテナーを載置する場合も同様である。
【０００５】
【発明が解決しようとする課題】
近年、折り畳まれた状態の折り畳みコンテナーの高さをより低くして、折り畳まれた折り畳みコンテナーの回収効率を向上するために、底部の高さがより低く形成されている。折り畳まれた状態の折り畳みコンテナーの高さを、より低くすることにより、折り畳まれた状態の折り畳みコンテナーの高さが高い場合に比べて、折り畳まれた折り畳みコンテナーを、多数、段積みすることができ、従って、トラック等の運送手段により、より多数の折り畳まれた折り畳みコンテナーを回収することができるとともに、倉庫等における収容効率も向上することになる。
【０００６】
しかしながら、底部の高さがより低くなると、会社名や収納物品の種類や行き先等の種々の情報が記載或いは記憶されているシールやラベルやバーコードやメモリー等の識別部材を取着するための底部の外側面のスペースが小さくなるという問題があった。
【０００７】
特に、上述したように、最初に倒される長側壁がヒンジ連結されている底部の長辺部側の土手部は、短辺部側の土手部に比べて、その高さがより低いので、底部の長辺部側の土手部に設けられた識別部材を取着するためのスペースが非常に狭く、従って、識別部材の取着作業が困難であったり、或いは、底部の長辺部側の土手部には、識別部材の取着スペースを設けることができないという問題があった。識別部材が、底部の長辺部側の土手部に取着されていないと、作業者は、折り畳みコンテナーを回転させたり、或いは、作業者が移動して、底部の短辺部側の土手部に取着されてる識別部材を確認しなければならないことになる。
【０００８】
また、底部に配設された嵌合部に、溝部が形成されていると、底部の強度や剛性が低下するという問題があった。
【０００９】
本発明の目的は、上述した従来の折り畳みコンテナーが有する課題を解決することにある。
【００１０】
【課題を解決するための手段】
本発明は、上述した目的を達成するために、底部を囲むように配設された側壁が、底部に重なるように折り畳むことが可能な折り畳みコンテナーにおいて、前記底部の相対する長辺側土手部には、箱型に組み立てられた状態から先に倒される長側壁がヒンジ連結されており、また、前記長辺側土手部より高い前記底部の相対する短辺側土手部には、箱型に組み立てられた状態から後から倒される短側壁がヒンジ連結されており、更に、前記長辺側土手部の高さを１０ｍｍ以上とし、更にまた、前記長辺側土手部の外壁部を凹ますことにより、前記長辺側土手部には、識別部材が貼着可能な平坦な奥部を有する凹部としての取着スペースが形成されているとともに、前記短辺側土手部の外壁部を凹ますことにより、前記短辺側土手部にも、識別部材が貼着可能な平坦な奥部を有する凹部としての取着スペースが形成されており、且つ、前記長辺側土手部の上面の外辺部に立設された外壁に、前記短側壁の壁面に対して直交するように配設された係合部材が挿入される切り欠き凹部を形成したものである。
【００１１】
【実施例】
以下に、本発明の実施例について説明するが、本発明の趣旨を越えない限り何ら、本実施例に限定されるものではない。
【００１２】
１は、平面形状が、ほぼ長方形状の底部であり、底部１の相対する長辺部に形成された土手部（以下、長辺側土手部という。）１ａには、公知の適当なヒンジ部材を介して、長側壁２がヒンジ連結されている。また、底部１の相対する短辺部に形成された土手部（以下、短辺側土手部という。）１ｂには、同様に公知の適当なヒンジ部材を介して、短側壁３がヒンジ連結されている。そして、長側壁２がヒンジ連結されている短辺側土手部１ａの高さは、短側壁３がヒンジ連結されている短辺側土手部１ｂの高さより低く構成されている。
【００１３】
図１に示されているように、箱型に組み立てられた状態から、先ず最初に、図２に示されているように、底部１の相対する長辺側土手部１ａにヒンジ連結された長側壁２を、底部１に重なるように倒す。次いで、底部１の相対する短辺側土手部１ｂにヒンジ連結された短側壁３を、底部１方向に倒して、底部１に重ねられている長側壁２の上に重ねることにより、図３に示されているように、折り畳むことができるように構成されている。
【００１４】
１ｃは、底部１の４つの角部に形成された、平面形状が、ほぼＬ状の支持ブロックであり、支持ブロック１ｃの内側には、段部１ｃ１が形成されている。また、底部１の裏面には、底部１の長辺側土手部１ａの下端１ａ１及び短辺側土手部１ｂの下端１ｂ１を越えて、下方に延在する嵌合部１ｄが形成されている。本実施例においては、嵌合部１ｄは、額縁状の周壁１ｄ１と、額縁状の周壁１ｄ１内に形成され縦横に走る交差リブ１ｄ２とにより構成されている。また、本実施例においては、一例として、嵌合部１ｄの中央部に、短辺側土手部１ｂに沿った溝部１ｅが形成されており、溝部１ｅにより、嵌合部１ｄが、２つの副嵌合部１ｄ’、１ｄ’に分割されている。本発明の折り畳みコンテナーの底部１のほぼ半分の大きさの底部を有する折り畳みコンテナーを、２個、並設し、その上に、本発明の折り畳みコンテナーを載置した際には、上に位置する本発明の折り畳みコンテナーの底部１に形成されている２つの副嵌合部１ｄ’、１ｄ’が、下に位置する折り畳みコンテナーの開口部に挿入されるとともに、下に位置する並設された折り畳みコンテナーの当接する側壁に形成された上部フランジが、上記の溝部１ｅに挿入されるように構成されている。
【００１５】
折り畳まれた状態の折り畳みコンテナーを段積みした際には、上に位置する折り畳みコンテナーの底部１に形成された嵌合部１ｄが、下に位置する折り畳みコンテナーの底部１の角部に形成された支持ブロック１ｃの段部１ｃ１に載置或いは段部１ｃ１に近接して配置され、また、上に位置する折り畳みコンテナーの底部１の長辺側土手部１ａの下端１ａ１及び短辺側土手部１ｂの下端１ｂ１が、支持ブロック１ｃの上面１ｃ２に載置されるように構成されている。
【００１６】
底部１の長辺側土手部１ａの上面の外辺部には、外壁１ａ２が立設されており、外壁１ａ２には、折り畳みコンテナーを、図３に示されているように、折り畳んだ際に、短側壁３の壁面３ａに対して直交するように配設された係合部材３ｂが、挿入されるような、切り欠き凹部１ａ２’が形成されている。また、底部１の短辺側土手部１ｂの上面の外辺部にも、同様の外壁１ｂ２が立設されている。更に、長側壁２の両端側部には、短側壁３に配設された係合部材３ｂと係合する係合部材２ａが形成されている。折り畳みコンテナーが、箱型に組み立てられた際に、短側壁３に配設された係合部材３ｂと長側壁２に配設された係合部材２ａとが係合し、後から、ほぼ垂直に立てられた長側壁２が、簡単には、底部１方向に倒れないように構成されている。本実施例においては、一例として、短側壁３に配設された係合部材３ｂには、適当数の透孔３ｂ１が穿設されており、また、長側壁２に配設された係合部材２ａには、短側壁３に配設された係合部材３ｂに穿設された透孔３ｂ１に、嵌合され係止されるような適当数の突起２ａ１が形成されている。なお、短側壁３に配設された係合部材３ｂと長側壁２に配設された係合部材２ａとの係合手段については、公知の種々の係合手段を適用することができる。
【００１７】
底部１の短辺側土手部１ｂの高さは、長辺側土手部１ａに比べて高く形成されており、短辺側土手部１ｂの外側壁には、シールやラベルやバーコードやメモリー等の識別部材が取着できるスペースＳ１が形成されている。本実施例においては、識別部材の取着スペースＳ１は、短辺側土手部１ｂの外側壁を凹ますことにより形成された凹部ｓ１として構成されている。識別部材の取着スペースＳ１を凹部ｓ１に形成し、取着スペースＳ１の平坦な奥部ｓ１’に、識別部材を貼着等して取着することにより、折り畳みコンテナー同士が接触したり、或いは、折り畳みコンテナーが他の物体に接触した際に、識別部材が損傷するようなことがないように構成されている。
【００１８】
底部１の短辺側土手部１ｂの高さより低い長辺側土手部１ａの外側壁にも、シールやラベルやバーコードやメモリー等の識別部材が取着できる取着スペースＳ２が形成されており、該取着スペースＳ２も、長辺側土手部１ａのの外側壁を凹ますことにより形成された凹部ｓ２として構成されている。そして、取着スペースＳ２の平坦な奥部ｓ２’に、上記と同様に、識別部材を貼着等して取着するように構成されている。
【００１９】
底部１の短辺側土手部１ｂの高さより低い長辺側土手部１ａの高さ（識別部材が取着される長辺側土手部１ａの外壁面の高さ）Ｈ１は、識別部材として、通常使用されるバーコード等を考慮して、１０ｍｍ以上とすることが好ましい。
【００２０】
また、底部１の長辺側土手部１ａに、識別部材が取着可能なスペースＳ２を形成したので、底部１の長辺側土手部１ａの高さが、全体に亘たって高くなるので、短辺側土手部１ｂに比べて高さが低く、且つ、短辺側土手部１ｂより長いために、強度や剛性が落ちる、長辺側土手部１ａの強度や剛性を増加することができ、ひいては、底部１や折り畳みコンテナーの強度や剛性を増加することができる。
【００２１】
更に、本実施例のように、底部１の裏面に配設された嵌合部１ｄの中央部に、短辺側土手部１ｂに沿った溝部１ｅが形成されている場合には、短辺側土手部１ｂに比べて高さが低く、且つ、短辺側土手部１ｂより長いた長辺側土手部１ａの強度や剛性が落ちることになるが、長辺側土手部１ａに、識別部材が取着可能な取着スペースＳ２を形成し、その高さを高くしたので、溝部１ｅを配設したことによる底部１の強度や剛性の低下を抑制することができる。
【００２２】
【発明の効果】
本発明は、以上説明した構成を有しているので、以下に記載する効果を奏するものである。
【００２３】
底部の高さの低い土手部及び高さの高い土手部の両方に、識別部材を取着するための取着スペースを形成したので、会社名や収納物品の種類や行き先等の種々の情報が記載或いは記憶されているシールやラベルやバーコードやメモリー等の識別部材の視認性が向上する。
【００２４】
底部の高さの低い土手部の高さが、全体に亘たって高くなるので、高さの高い土手部に比べて高さが低く、且つ、長いために、強度や剛性が落ちる土手部の強度や剛性を増加することができ、ひいては、底部や折り畳みコンテナーの強度や剛性を増加することができる。
【図面の簡単な説明】
【図１】図１は本発明の折り畳みコンテナーが箱型に組み立てられた状態の斜視図である。
【図２】図２は本発明の折り畳みコンテナーの折り畳み途中の斜視図である。
【図３】図３は本発明の折り畳みコンテナーが折り畳まれた状態の斜視図である。
【図４】図４は本発明の折り畳みコンテナーを構成する底部の裏面方向から見た斜視図である。
【図５】図５は本発明の折り畳みコンテナーが折り畳まれた状態の短側壁に沿った垂直断面図である。
【符号の説明】
１・・・・・・・・・・・・・・・底部
１ａ・・・・・・・・・・・・・・長辺側土手部
１ｂ・・・・・・・・・・・・・・短辺側土手部
２・・・・・・・・・・・・・・・長側壁
３・・・・・・・・・・・・・・・短側壁
Ｓ１、Ｓ２・・・・・・・・・・・取着スペース
【図１】
0003958039.tif 000002
【図２】
0003958039.tif 000003
【図３】
0003958039.tif 000004
【図４】
0003958039.tif 000005
【図５】
0003958039.tif 000006